(57)【要約】【課題】簡単な操作で芯を繰り出す状態と、繰り出した芯を引き戻す状態とを切り替えることができ、確実に芯の出没ができるシャープペンシルを提供すること。【解決手段】軸筒２０の内部に、筆記用の芯６を収容する芯タンク９と芯６を挟持するチャック７と該チャック７の頭部７ａに外嵌される締具１０とを有した芯繰出ユニット３０を備え、軸筒２０が、軸筒本体２の内面と芯繰出ユニット３０の外面との間に設けた空間部４０と、軸筒本体２に対して回動可能に配設した操作体５０とを有し、芯繰出ユニット３０に空間部４０へ突出する当接部８ｂを設けてあり、軸筒２０または操作体５０に空間部４０へ向かって突出する被当接部１１ｆを設ける。【選択図】図２
2017109451.tif 000002
【特許請求の範囲】
【請求項１】
軸筒の内部に、筆記用の芯を収容する芯タンクと該芯を挟持するチャックと該チャックの頭部に外嵌される締具とを有した芯繰出ユニットを備え、前記締具の前方に前後動可能な環状体が配設されており、前記芯繰出ユニットの前進により前記芯を前記軸筒の先端より繰り出し、前記チャックの頭部が前記締具から離間し前記芯が該チャックに挟持された状態から開放され、更なる前記芯繰出ユニットの前進により、前記チャックの頭部が前記環状体に挿嵌されて前記芯が該チャックで挟持された状態とし、前記状態による前記芯繰出ユニットの後退に伴って前記芯を後退させることができるシャープペンシルであって、前記軸筒が、軸筒本体の内面と前記芯繰出ユニットの外面との間に設けた空間部と、該軸筒本体に対して回動可能に配設した操作体とを有し、前記芯繰出ユニットに前記空間部へ突出する当接部を設けてあり、前記軸筒または前記操作体に該芯繰出ユニットが前進した際に前記当接部と当接して当該芯繰出ユニットの前進を規制する被当接部を前記軸筒の空間部に突出するよう設けてあり、前記操作体が前記軸筒に対して回動することで、前記芯繰出ユニットが前進した際に前記当接部と前記被当接部とが当接する状態と当接しない状態とが切り替わり、前記当接部と前記被当接部とが当接する状態では、前記チャックの頭部が前記環状体に挿嵌しないよう前記芯繰出ユニットの前進が規制され、前記当接部と前記被当接部とが当接しない状態では、前記芯繰出ユニットが前進することで前記チャックの頭部が前記環状体に挿嵌されて前記芯が該チャックで狭持されるよう構成したことを特徴とするシャープペンシル。
【発明の詳細な説明】
【技術分野】
【０００１】
本発明は、ノック操作により軸筒の先端より芯を繰り出し、同じくノック操作により繰り出した芯を引き戻すことができる構造のシャープペンシルに関する。
【背景技術】
【０００２】
シャープペンシルの芯は、筆記する際には軸筒の先端より繰り出すために前進させ、芯が軸筒の先端から出過ぎてしまった場合やシャープペンシルを筆入にしまう際には後退させる必要がある。一般的に、芯を繰り出す際には、ノック部をノック操作して、芯を挟持したチャックを前進させることで軸筒の先端より繰り出す。また芯を後退させる際には、同じくノック部をノック操作して芯をチャックから開放した状態にしたまま、机の上や指先で芯の先端を押すことで当該芯を後退させることが行われている。
【０００３】
前述の通り、芯を繰り出す際にはノック操作で芯を前進させることができるが、芯を後退させる際には机や指先で芯の先端を押す必要があることから、芯による汚れが気にされる場合があった。
この点を考慮して特許文献１に記載のシャープペンシルでは、ノック部を小ストロークすることにより芯を軸筒先端より繰り出し、前記ノック部を大ストロークすることにより軸筒先端から突出した芯を引き戻して軸筒内に収納できる構成のシャープペンシルが開示されている。
ここで特許文献１のシャープペンシルを詳述すると、ノック部を小ストロークした際には、チャックに外嵌された第一の締具から該チャックを係脱して芯を軸筒先端より繰り出すことができ、ノック部を大ストロークした際には、前記第一の締具の前方に配した第二の締具に前記チャックを係合させ、その状態で当該チャックを後退させることによりチャックで挟持された芯を軸筒内部へ引き戻し、収納できるようにしてある。
したがって特許文献１のシャープペンシルは、芯の繰り出し及び芯の収納を、机や指に芯を触れさせることなく行うことができるが、芯の繰り出し及び芯の収納動作の切り替えには、ノック部をノック操作する際のストローク量を微調整する必要があるため、芯の繰り出しと芯の収納との誤作動を起こしてしまう可能性がある。
【０００４】
また特許文献２にも、前記特許文献１と同じく芯を指や机に触れさせなくとも、軸筒内に芯を収納することができるシャープペンシルが開示されている。この特許文献２のシャープペンシルでは、先軸と後軸とを回転自在に連結して構成してあり、先軸に対して後軸を回転した時には、チャックに外嵌された第一の締具から該チャックを係脱して芯を軸筒先端より繰り出すことができ、後軸の後端より突出したノックカバーの後端を大ストロークでノック操作した際には、前記第一の締具の前方に配した第二の締具に前記チャックを係合させ、その状態で当該チャックを後退させることによりチャックで挟持された芯を軸筒内部へ引き戻し、収納できるようにしてある。
したがって特許文献２のシャープペンシルでは、前記特許文献１と異なり芯の繰り出しと芯の収納との誤作動を防止することはできるが、芯を繰り出す際には、両手で先軸に対して後軸を回転させる回転操作となり、芯を軸筒内に引き戻して収納する際には、ノックカバーを大ストロークさせるノック操作となり、複数のチャック前進手段を設けていることから、操作が煩雑になるとともに構造が複雑化するという問題がある。
【先行技術文献】
【特許文献】
【０００５】
【特許文献１】実開昭５５−４９９７４号公報
【特許文献２】実開平２−１３５２８４号公報
【発明の概要】
【発明が解決しようとする課題】
【０００６】
本発明では、簡単な操作で芯を繰り出す状態と、繰り出した芯を引き戻す状態とを切り替えることができ、ノック操作により確実に芯の出没ができるシャープペンシルを提供することを目的とした。
【課題を解決するための手段】
【０００７】
本発明は、
「軸筒の内部に、筆記用の芯を収容する芯タンクと該芯を挟持するチャックと該チャックの頭部に外嵌される締具とを有した芯繰出ユニットを備え、前記締具の前方に前後動可能な環状体が配設されており、前記芯繰出ユニットの前進により前記芯を前記軸筒の先端より繰り出し、前記チャックの頭部が前記締具から離間し前記芯が該チャックに挟持された状態から開放され、更なる前記芯繰出ユニットの前進により、前記チャックの頭部が前記環状体に挿嵌されて前記芯が該チャックで挟持された状態とし、前記状態による前記芯繰出ユニットの後退に伴って前記芯を後退させることができるシャープペンシルであって、
前記軸筒が、軸筒本体の内面と前記芯繰出ユニットの外面との間に設けた空間部と、該軸筒本体に対して回動可能に配設した操作体とを有し、前記芯繰出ユニットに前記空間部へ突出する当接部を設けてあり、前記軸筒または前記操作体に該芯繰出ユニットが前進した際に前記当接部と当接して当該芯繰出ユニットの前進を規制する被当接部を前記軸筒の空間部に突出するよう設けてあり、前記操作体が前記軸筒に対して回動することで、前記芯繰出ユニットが前進した際に前記当接部と前記被当接部とが当接する状態と当接しない状態とが切り替わり、前記当接部と前記被当接部とが当接する状態では、前記チャックの頭部が前記環状体に挿嵌しないよう前記芯繰出ユニットの前進が規制され、前記当接部と前記被当接部とが当接しない状態では、前記芯繰出ユニットが前進することで前記チャックの頭部が前記環状体に挿嵌されて前記芯が該チャックで狭持されるよう構成したことを特徴とするシャープペンシル。」である。
【０００８】
本発明のシャープペンシルは、芯繰出手段として、軸筒の後端から突出したノック体を前方へノック操作することで芯を繰り出す後端ノック式を採用することができる。
【０００９】
また、芯繰出ユニットの外面に設ける当接部は、芯繰出ユニットの外面から軸筒の空間部へ向かって突出するよう一体的に形成してもよく、あるいは別体で形成してから接着や嵌着や螺着などにより固定してもよい。
【００１０】
本発明における操作体は、前記軸筒本体に対して回動可能に構成されていればその形態は限定されない。操作体の具体例としては、例えば軸筒本体に対して回動可能に形成した操作体を芯繰り出しユニットの後部に連結させ、該操作体の少なくとも一部が該軸筒の後端から突出するように構成してもよく、軸筒の後部に筒状に形成した操作体を該軸筒に対して回動可能に取り付けてもよい。
尚、操作体を軸筒の後端から突出するように構成する場合は、芯繰出ユニットが前進した際に当接部と当接する被当接部を、軸筒の内面から軸筒の空間部へ向かって突出すようによう一体的に形成してもよく、あるいは別体で形成してから接着や嵌着や螺着や挟持などにより固定してもよい。
また、軸筒の後部に操作体を回動可能に取り付ける場合は、芯繰出ユニットが前進した際に当接部と当接する被当接部を、操作体から軸筒の空間部へ向かって突出すよう該操作体と一体的に形成してもよく、あるいは別体で形成してから接着や嵌着や螺着などにより固定してもよい。
【００１１】
本発明によるシャープペンシルでは、操作体を軸筒本体に対して軸周方向へ回動させることにより、軸心方向における当接部と被当接部との相対的な位置が変化する。その結果、前記当接部に対して被当接部が当接したりあるいは当接しない状態を生じさせて、芯繰出ユニットの前進を規制したり前進の規制を解除することができる。したがって、当接部及び被当接部の位置は操作時における目安となるが、当接部及び被当接部が軸筒内で見えない状態のときは、軸筒の外面や操作体の外面に前記当接部の位置に応じて目印を設けることが好ましい。
尚、前記目印は、軸筒や操作体の外面に成形、加工、転写及び印刷などで設けることができる。
【００１２】
本発明のシャープペンシルにおける、芯の引き戻し状態について詳述すると、チャックの頭部に締具に外嵌された状態で前進することにより芯が一旦前進し、チャックの頭部が締具から離間して芯がチャックに挟持された状態から開放され、更なるチャックの前進により環状体にチャックの頭部が挿嵌し、その状態でチャックが後退することにより芯が引き戻される。このため、チャックが環状体に挿嵌された状態で後退する長さからチャックが締具に外嵌された状態で前進する長さを差し引いた長さが一度の動作で芯が引き戻される長さとなる。
よって、軸筒先端から突出した芯を一度の動作で芯を大きく引き戻して軸筒内に収納したい場合は締具が前進する長さと環状体が後退する長さの差を大きく設定すればよく、軸筒先端からの芯の出長さを調整するために芯を少し戻したい場合は前記差を小さく設定すればよい。
【発明の効果】
【００１３】
本発明では、簡単な操作で芯を繰り出す状態と、繰り出した芯を引き戻す状態とを切り替えることができ、ノック操作により確実に芯の出没ができるシャープペンシルを得ることができた。
【図面の簡単な説明】
【００１４】
【図１】本実施例のシャープペンシルの側面図である。
【図２】本実施例のシャープペンシルの縦断面図である。
【図３】図２の要部拡大断面図である。
【図４】図３のＡ−Ａ線断面図である。
【図５】図３のＢ−Ｂ線断面図である。
【図６】図２の状態から操作体を１８０度回動した状態を示す図であり、一部を断面とした図である。
【図７】当接部と被当接部とが当接した状態を示す要部拡大断面図である。
【図８】図６の状態から操作体を１８０度回動した状態を示す図であり、一部を断面とした図である。
【図９】環状体にチャックの頭部が挿嵌した状態を示す要部拡大断面図である。
【発明を実施するための形態】
【００１５】
以下に、添付の図面を参照して本発明の一実施の形態を詳細に説明する。尚、本実施例では、筆記先端部がある側を前方と表現し、その反対側を後方と表現する。また、軸筒の軸心に近い側を内方と表現し、その反対側を外方と表現する。また、シャープペンシルに対して重力が働く方向を下方と表現し、その反対を上方と表現する。
【００１６】
図１は、本実施例のシャープペンシルの側面図であり、図２は、図１のシャープペンシルの縦断面図であり、図３は、図２における要部拡大断面図である。図１、図２及び図３に示すように、シャープペンシル１は、筒状に形成された軸筒本体２と、軸筒本体２の前部に螺合された先口３と、軸筒本体２の後部に取り付けられた筒状の後部筒部材４と、後部筒部材４の後方からから挿着されたキャップ５と、軸筒本体２内に収納され先口３の先端開口部３ａから出没する芯６とを備えている。尚、本実施例では、軸筒本体２と先口３とで軸筒２０を構成してある。
また、後部筒部材４は、筒状の外筒部４ａと、外筒部４ａの側面から前方に向かって延びる挟持片４ｂとを備え、挟持片４ｂと軸筒本体２との間にノートや胸ポケット等を挟むことでクリップとして機能するように構成してある。
更に、キャップ５の外面には軸方向に延びる線状の目印５ａを転写により設け、外筒部４ａの後部に目印５ａより軸周方向に長く形成した位置決め用目印４ｃを転写により設けてある。
【００１７】
図２及び図３に示すように、軸筒２０の内方には、頭部７ａが二分割されたチャック７と、チャック７の後部に圧入固着されているコネクター８と、コネクター８の後部に圧入固着したパイプ状の芯タンク９とを備えている。また、チャック７の頭部７ａには締具１０が外嵌されており、締具１０を受け止める連結具１１とコネクター８の間にチャックスプリング１２を取付荷重４００ｇで張架してチャック７を後方に弾発してある。尚、チャック７は連結具１１の前孔１１ａに遊嵌してある。
これにより、チャック７、コネクター８、芯タンク９、締具１０及びチャックスプリング１２により芯６を繰り出すために前後動する芯繰出ユニット３０が構成され、芯繰出ユニット３０は連結具１１に対して前後動可能かつ回動可能に構成してある。
また、軸筒本体２と芯繰り出しユニット３０の間には隙間となる空間部４０を形成してある。
【００１８】
図３および図４に示すように、連結具１１は、リング状の鍔部１１ｂと、後方である空間部４０に向かって延びる筒状部１１ｃとで構成されている。また、筒状部１１ｃは、外面の対向する２カ所に形成した凸部１１ｄと、後部に形成したスリット部１１ｅと、後端部に形成した被当接部１１ｆとを備えている。
尚、連結具１１は、軸筒本体２の内面に設けた凹部２ａに凸部１１ｄを嵌着することで軸筒２０に対して回動不能に取り付けてある。その結果、芯繰出ユニット３０は軸筒２０に対して前後動可能かつ回動可能に構成される。
【００１９】
先口３は、軸筒本体２の前端と先口３の第一内段部３ｂとで連結具１１の鍔部１１ｂを挟んだ状態で軸筒２０に螺着してある。また、先口３には芯６を適度の力で保持する合成ゴムで形成した芯ホルダー１３を内蔵してある。
【００２０】
締具１０はチャック７の頭部７ａに外嵌され、連結具１１の前端部１１ｇと先口内面の第ニ内段部３ｃとの間に前後動可能に遊嵌されている。
また、締具１０の前方にはリング状の環状体１４が配設されている。環状体１４は先口内面の第二内段部３ｃとその前方に形成した第三内段部３ｄとの間に前後動可能に遊嵌されている。
尚、締具１０が移動可能な長さＬ１は環状体１４が移動可能な長さＬ２に対して小さくしてあり、本実施例ではＬ１とＬ２の差を３ｍｍに設定した。
【００２１】
図３及び図５に示すように、コネクター８には、中間部にある基部８ａに空間部４０へ突出する当接部８ｂが形成してある。
【００２２】
図２に示すように、軸筒本体２の後部には後部筒部材４を挿着してある。この後部筒部材４は、前述した通り、軸筒本体２の後端部より後方へ突出し且つ狭持片４ｂを有した外筒部４ａと、軸筒本体２の後端部内に軸方向に延びる内筒部４ｄとで構成されている。また、外筒部４ａの内孔は内筒部４ｄの内孔より大径に形成してある。
また、内筒部４ｄには外方に突出する係止凸部４ｅを形成してあり、係止凸部４ｅを軸筒本体２に形成した係止孔２ｂに嵌着し、軸筒本体２に対して後部筒部材４が回転したり外れたりしないようにしてある。
【００２３】
芯タンク９の後方且つ後部筒部材４の内方にはノック体１５を回動自在に配置してある。このノック体１５には、後部に消しゴム挿入部１５ａと前部に前孔１５ｂが形成してある。また、ノック体１５は前孔１５ｂに芯タンク９の後部９ａを圧入固着してある。
【００２４】
ノック体１５の消しゴム挿入部１５ａには消しゴム１６が挿着されている。また、ノック体１５の後方にキャップ５を配設し、ノック体１５の中央外周部に周上に突出させて形成した後方段部１５ｃにキャップ５の前端５ｂを当接させた状態で、ノック体１５とキャップ５とを着脱自在に嵌着してある。
ここで、ノック体１５と消しゴム１６とキャップ５とにより操作体５０を構成してあり、操作体５０を後部筒部材４に対して回動可能になるよう操作体５０の外形部を形成し、後部筒部材４に対して操作体５０が前後に摺動可能且つ回動可能に構成してある。尚、キャップ５を掴み、軸筒２０に対してキャップ５を左右どちらかに回動する際、操作体５０全体が従動して回動するように、操作体５０の回動時に発生する回転抵抗よりキャップ５とノック体１５との嵌着力の方が強くなるように構成してある。
【００２５】
尚、キャップ５に設けた線状の目印５ａ及び後部筒部材４に設けた位置決め用目印４ｃの位置や横幅は、コネクター８の当接部８ｂ及び連結具１１のスリット部１１ｅに合わせて形成してあり、キャップ５を回動した際、図１に示すように、線状の目印５ａを位置決め用目印４ｃの横幅内に合わせることで、芯繰出ユニット３０が前進した際に当接部８ｂがスリット部１１ｅに挿入可能に構成し、キャップ５を回動して線状の目印５ａを位置決め用目印４ｃの横幅内から外すとことで、芯繰出ユニット３０が前進した際に当接部８ｂが連結具１１の被当接部１１ｆに当接するよう構成してある。
【００２６】
次に、図２、図６及び図７を用いてシャープペンシル１の操作体５０をノック操作することにより芯６を繰り出す動作を説明する。
図２の状態からキャップ５を掴んで操作体５０を１８０度回動し、線状の目印５ａを位置決め用目印４ｃから外すと、操作体５０に従動して芯繰出ユニット３０が回転し、コネクター８の当接部８ｂも回動して軸心を挟んだ反対側に移動して図６の状態となる。
図６の状態でチャックスプリング１２の弾発力に抗して操作体５０であるキャップ５を前方にノック操作すると、キャップ５と共にノック体１５が前進し、ノック体１５に押されて芯タンク９、コネクター８及びチャック７がチャックスプリング１２を圧縮しながら前進する。この際、チャック７に締具１０が外嵌されていることから芯６も一緒に前進するが、締具１０が先口３の第ニ内段部３ｃの後端に当接した際に、チャック７の頭部７ａから締具１０が離間して芯６が開放され、芯６の前進は停止する。このとき、コネクター８も前方へ移動するが、図７に示すように、コネクター８の当接部８ｂが連結具１１の被当接部１１ｆに当接することで、コネクター８、チャック７、芯タンク９、ノック体１５及びキャップ５の前進が規制される。
【００２７】
ここで、キャップ５へのノック操作を解除すると、チャックスプリング１２の弾発力でノック体１５、芯タンク９、コネクター８及びチャック７が後方へ移動し、再びチャック７に締具１０が外嵌されて芯６が挟持され、一般的なシャープペンシルと同様に芯６を繰り出すことができる。
このノック操作を複数回繰り返すことで、チャック７により前方へ繰り出された芯６は先口３の先端開口部３ａより突出し、筆記可能な状態となる。
【００２８】
次に、図８及び図９を用いてノック操作により先口３の先端開口部３ａから突出した芯６を引き戻し、軸筒２０の内部に収納する動作について説明する。
図６の状態からキャップ５を掴んで操作体５０を回動し、図８のように線状の目印５ａを位置決め用目印４ｃの横幅に入るように合わせると、操作体５０に従動して芯繰出ユニット３０が回動し、コネクター８の当接部８ｂも回動する。このとき、コネクター８の当接部８ｂと連結具１１のスリット部１１ｅとの軸方向における位置が一致する。
この状態で、操作体５０のキャップ５を前方にノック操作すると、キャップ５に押されてノック体１５、芯タンク９、コネクター８及びチャック７がチャックスプリング１２を圧縮しながら前進する。この際、チャック７に締具１０が外嵌されていることから芯６も一緒に前進するが、締具１０が先口３の第ニ内段部３ｃの後端に当接した際に、チャック７の頭部７ａから締具１０が離間して芯６が開放され、芯６の前進は停止する。これにより、コネクター８も前方へ移動するが、図９に示すようにコネクター８の当接部８ｂが連結具１１の被当接部１１ｆに当接することがなくスリット部１１ｅに挿入されるため、ノック操作によりコネクター８、チャック７、芯タンク９、ノック体１５及びキャップ５は更に前進する。チャック７が更に前進することでチャック７の頭部７ａが環状体１４の後端１４ａに当接し、環状体１４がチャック７に押されて前進し、環状体１４の前端１４ｂが先口３の第三内段部３ｄに当接すると、環状体１４にチャック７の頭部７ａが挿嵌されて、再びチャック７に芯６が挟持される。尚、チャック７の前進はコネクターの当接部８ｂが連結具１１の段部１１ｈに当接することで停止される。
【００２９】
ここで、キャップ５へのノック操作を解除すると、チャックスプリング１２の弾発力でノック体１５、キャップ５、芯タンク９、コネクター８及びチャック７は後方へ移動し、環状体１４に頭部７ａが挿嵌したチャック７に挟持されている芯６も後方へ移動する。尚、チャック７の後退に合わせて後方へ移動する環状体１４は、後端１４ａが先口３の第二内段部３ｃの前端に当接することにより、チャック７から離間して芯６を開放し、芯６の後退は停止する。その後もチャック７はチャックスプリング１２の弾発力で更に後退し、チャック７に締具１０が外嵌されて芯６を挟持し、コネクター８、チャック７、芯タンク９、ノック体１５及びキャップ５が図８の位置まで戻り芯６の引き戻しが完了する。
【００３０】
このノック操作による芯６の引き戻し動作の際、一度芯６が前進してから後方へ引き戻されることになるが、芯６が前方へ繰り出される長さは締具１０が移動可能な長さＬ１と略同等となり、芯６が引き戻される長さは環状体１４が移動可能な長さＬ２と略同等となるため、Ｌ２よりＬ１を小さく設定することで芯６が引き戻されるようにしてある。この為、Ｌ２からＬ１を引いた長さが一回の引き戻し動作で芯６が戻る長さとなる。
本実施例では、前述したように、Ｌ２からＬ１引いた長さを３ｍｍに設定してあるため、先口３の先端開口部３ａからの芯６の出長さが３ｍｍを超えなければ一度の引き戻し動作で芯６を軸筒２０内に収納可能である。また、一度の動作で収納できなかったとしても、複数回の引き戻し動作を行うことで芯６を先口３内に引き戻し収納することができる。
【００３１】
以上の構成により、操作体５０を軸筒２０に対して回動することで芯６を繰り出す状態と芯６を引き戻す状態とを容易に切り替えることができ、ノック操作により確実に芯６を繰り出し、繰り出した芯６を引き戻すことができるシャープペンシル１を得ることができた。
【符号の説明】
【００３２】
１…シャープペンシル、
２…軸筒本体、２ａ…凹部、２ｂ…係止孔、
３…先口、３ａ…先端開口部、３ｂ…第一内段部、３ｃ…第ニ内段部、
３ｄ…第三内段部、
４…後部筒部材、４ａ…外筒部、４ｂ…狭持片、４ｃ…位置決め用目印、４ｄ…内筒部、
４ｅ…係止凸部、
５…キャップ、５ａ…線状の目印、５ｂ…前端、
６…芯、
７…チャック、７ａ…頭部、
８…コネクター、８ａ…基部、８ｂ…当接部、
９…芯タンク、９ａ…後部
１０…締具、
１１…連結具、１１ａ…前孔、１１ｂ…鍔部、１１ｃ…筒状部、１１ｄ…凸部、
１１ｅ…スリット部、１１ｆ…被当接部、１１ｇ…前端部、１１ｈ…段部、
１２…チャックスプリング、
１３…芯ホルダー、
１４…環状体、１４ａ…後端、１４ｂ…前端、
１５…ノック体、１５ａ…消しゴム挿入部、１５ｂ…前孔、１５ｃ…後方段部、
１６…消しゴム、
２０…軸筒、
３０…芯繰出ユニット、
４０…空間部、
５０…操作体、
Ｌ１…締具が移動可能な長さ、
Ｌ２…環状体が移動可能な長さ。
【図１】
2017109451.tif 000003
【図２】
2017109451.tif 000004
【図３】
2017109451.tif 000005
【図４】
2017109451.tif 000006
【図５】
2017109451.tif 000007
【図６】
2017109451.tif 000008
【図７】
2017109451.tif 000009
【図８】
2017109451.tif 000010
【図９】
2017109451.tif 000011